(57)【特許請求の範囲】
【請求項１】
給水ホースに接続された吐水ヘッドと、
前記吐水ヘッドを所定方向に引き出し可能に保持するヘッドホルダと、
を備える水栓装置であって、
前記ヘッドホルダは、
前記所定方向に延在する吐水ヘッドガイド部と、
前記吐水ヘッドガイド部を覆うように前記所定方向に延在するヘッドホルダカバーと、
を備え、
前記吐水ヘッドガイド部の縁部は、前記所定方向に沿って連続的に前記ヘッドホルダカバーの縁部よりも前記吐水ヘッド側に突出しており、
前記吐水ヘッドの縁部は、前記吐水ヘッドガイド部の縁部を覆うように、前記ヘッドホルダカバー側に突出しており、
前記吐水ヘッドガイド部の縁部は、前記ヘッドホルダカバーの縁部の端面を覆うように形成されていることを特徴とする水栓装置。
【発明の詳細な説明】
【技術分野】
【０００１】
本発明は、水栓装置に関する。
【背景技術】
【０００２】
従来より、吐水口を備える吐水ヘッドを給水ホースとともに引き出し可能に構成された水栓装置が知られている（例えば特許文献１）。
【０００３】
上記のような水栓装置は、吐水ヘッドを所定の位置に保持するためのヘッドホルダを備えている場合がある。そして、このヘッドホルダには、意匠性を高めること等を目的として、メッキ処理が施されたヘッドホルダカバーが設けられる場合がある。
【先行技術文献】
【特許文献】
【０００４】
【特許文献１】特開２０１０−５７７５３号公報
【発明の概要】
【発明が解決しようとする課題】
【０００５】
上記のような水栓装置では、引き出された吐水ヘッドは比較的自由に移動可能であるため、吐水ヘッドの移動位置によっては給水ホースがヘッドホルダカバーに接触し、ヘッドホルダカバーにメッキ剥がれ等の損傷が生じる可能性がある。
【０００６】
本発明は、このような課題に鑑みてなされ、その目的は、給水ホースの接触によるヘッドホルダカバーの損傷を防止できる水栓装置を提供することにある。
【課題を解決するための手段】
【０００７】
上記課題を解決するために、本発明のある態様の水栓装置は、給水ホースに接続された吐水ヘッドと、吐水ヘッドを所定方向に引き出し可能に保持するヘッドホルダとを備える。ヘッドホルダは、所定方向に延在する吐水ヘッドガイド部と、吐水ヘッドガイド部を覆うように所定方向に延在するヘッドホルダカバーとを備える。吐水ヘッドガイド部の縁部は、ヘッドホルダカバーの縁部よりも吐水ヘッド側に突出している。
【発明の効果】
【０００８】
本発明によれば、給水ホースの接触によるヘッドホルダカバーの損傷を防止できる水栓装置を提供できる。
【図面の簡単な説明】
【０００９】
【図１】本発明の実施形態に係る水栓装置を備える洗面化粧台を示す斜視図である。
【図２】本発明の実施形態に係る水栓装置を示す斜視図である。
【図３】本発明の実施形態に係る水栓装置の吐水ヘッドおよびヘッドホルダを示す図である。
【図４】ヘッドホルダから吐水ヘッドを引き出した状態を示す図である。
【図５】吐水ヘッドおよびヘッドホルダを引き出し方向から見た図である。
【図６】本発明の実施形態に係る水栓装置の効果を説明するための図である。
【図７】本発明の別の実施形態に係る水栓装置の吐水ヘッドおよびヘッドホルダを示す図である。
【図８】ヘッドホルダから吐水ヘッドを引き出した状態を示す図である。
【図９】吐水ヘッドおよびヘッドホルダを引き出し方向から見た図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１は、本発明の実施形態に係る水栓装置１０を備える洗面化粧台１００を示す斜視図である。洗面化粧台１００は、洗面台１０１と、水栓装置１０と、ミラーキャビネット１０４と、ベースキャビネット１０５とを備える。
【００１２】
ベースキャビネット１０５は、床面に設置される。ベースキャビネット１０５は、本実施の形態では２つの引出を有しており、洗面用具、化粧品、その他の物品を収容できる。
【００１３】
洗面台１０１は、ベースキャビネット１０５に載置される。洗面台１０１は、洗面ボウル１０２と、カウンター１０３と、バックガード１０６と、排水栓１０７と、を含む。洗面ボウル１０２は、水栓装置１０から吐水される水を受ける。洗面ボウル１０２には、排水口１０２ａが設けられている。排水栓１０７は、排水口１０２ａに取り付けられ、排水口１０２ａを開閉する。カウンター１０３は、本実施の形態では、洗面ボウル１０２の両サイドに設けられる。カウンター１０３には、洗面用具、化粧品、タオル、その他の物品を載置できる。バックガード１０６は、洗面ボウル１０２の後方側において洗面ボウル１０２から上方に立設される。本実施形態では、洗面ボウル１０２、カウンター１０３およびバックガード１０６は、一体に形成される。
【００１４】
ミラーキャビネット１０４は、洗面台１０１の上方に設けられ、例えば壁面に固定される。ミラーキャビネット１０４は、収納棚１０９と、３つの収納扉１１１と、を含む。収納棚１０９には、棚板（図示せず）が設けられており、洗面用具、化粧品、その他の物品を収納できる。３つの収納扉１１１は、収納棚１０９を開閉可能に覆う扉であり、その前面側に鏡が取り付けられている。
【００１５】
水栓装置１０は、ミラーキャビネット１０４と洗面ボウル１０２およびカウンター１０３との間に設けられる。水栓装置１０は、ユーザの操作または動作に応じて吐水する。
【００１６】
図２は、本発明の実施形態に係る水栓装置１０を示す斜視図である。水栓装置１０は、吐水ヘッド１２と、ヘッドホルダ２０と、給水ホース２１と、ベース１２２とを備える。
【００１７】
ベース１２２は、ミラーキャビネット１０４（図１参照）の底部に設けられる。ベース１２２は、底板部１２５と、右側壁部１２６と、左側壁部１２７と、後壁部１２８とを含む。底板部１２５は、平面視で略矩形であり、その長手方向は左右方向と略平行となる。
【００１８】
ベース１２２の右側壁部１２６には、取付部１２６ａが設けられている。取付部１２６ａには、上下に貫通する挿通孔１２６ｂが形成されている。同様に、ベース１２２の左側壁部１２７には、取付部１２７ａが設けられている。取付部１２７ａには、上下に貫通する挿通孔１２７ｂが形成されている。取付部１２６ａの挿通孔１２６ｂと取付部１２７ａの挿通孔１２７ｂとにネジを挿入してミラーキャビネット１０４の底部に設けられたネジ穴（図示せず）に螺入することにより、ベース１２２がミラーキャビネット１０４に取り付けられる。また、ベース１２２の後壁部１２８には挿通孔が形成されている。この挿通孔にネジ４２を挿入してバックガード１０６に設けられたネジ穴（図示せず）に螺入することにより、ベース１２２はバックガード１０６にも固定される。
【００１９】
ヘッドホルダ２０は、ベース１２２の底板部１２５に取り付けられる。吐水ヘッド１２は、ヘッドホルダ２０に着脱可能に保持される。吐水ヘッド１２は、ヘッドホルダ２０から引き出し方向Ｄに引き出し可能である。吐水ヘッド１２は、給水ホース２１を通じて流入した水を吐水口１３から、吐水させる。
【００２０】
図３は、本発明の実施形態に係る水栓装置１０の吐水ヘッド１２およびヘッドホルダ２０を示す図である。図４は、ヘッドホルダ２０から吐水ヘッド１２を引き出した状態を示す図である。
【００２１】
上述したように、ヘッドホルダ２０は、ベース１２２の底板部１２５に固定されている。ヘッドホルダ２０は、ヘッドホルダ本体３０と、ヘッドホルダカバー３１と、センサ３２とを備える。
【００２２】
ヘッドホルダ本体３０は、樹脂製の一体成形部材であり、センサ３２を保持するためのセンサ保持部３０ａと、給水ホース２１を誘導するためのホースガイド部３０ｂと、吐水ヘッド１２を誘導するための吐水ヘッドガイド部３０ｃと、ベース部３０ｄとを備える。
【００２３】
吐水ヘッドガイド部３０ｃは、引き出し方向Ｄに延在する部材であり、その先端部に吐水ヘッドガイド部３０ｃが立設されている。ホースガイド部３０ｂは、引き出し方向Ｄに延在する筒状の部材である。吐水ヘッドガイド部３０ｃおよびホースガイド部３０ｂは、ともにベース部３０ｄにより支持されている。センサ保持部３０ａは、引き出し方向から見て楕円弧状に形成されている。なお、センサ保持部３０ａの形状は楕円弧状に限定されず、例えば円弧状や矩形状であってよい。センサ保持部３０ａには開口部３０ｅが形成されており、該開口部３０ｅにセンサ３２のセンサ窓３２ａが配置されている。
【００２４】
ヘッドホルダカバー３１は、引き出し方向Ｄに延在する略半筒状体である。ヘッドホルダカバー３１の引き出し方向Ｄに垂直な断面形状は、センサ保持部３０ａに対応した形状、すなわち本実施形態では楕円弧状とされている。センサ保持部３０ａの形状が円弧状や矩形状の場合には、ヘッドホルダカバー３１の断面形状もそれに対応して円弧状や矩形状となる。ヘッドホルダカバー３１は、樹脂製又は金属製であってよい。ヘッドホルダカバー３１の表面には、意匠性を高める等の目的でメッキが施されている。
【００２５】
ヘッドホルダカバー３１は、ヘッドホルダ本体３０の吐水ヘッドガイド部３０ｃおよびセンサ保持部３０ａを覆うように配置される。吐水ヘッドガイド部３０ｃおよびセンサ保持部３０ａとヘッドホルダカバー３１との間に形成される空間には、電気回路等を有するセンサ３２の本体部（図示せず）が配置される。
【００２６】
センサ３２は、例えば発光部と受光部を有する赤外線式センサであってよい。センサ３２は、発光部から投光された光の検知対象物からの反射光を受光部で受光することで、所定の検知エリア内における人体の手等の検知対象物の存否を検知する。センサ３２は、吐水口１３の下方に使用者が手を差し出したとき、これを検知する。センサ３２により人体検知されると、制御部（図示せず）により電磁弁（図示せず）が開弁され、吐水口１３から自動的に吐水される。その後、使用者が手を引き込めてセンサ３２の検知エリアから外れると、センサ３２が人体非検知となり、制御部により電磁弁が閉弁されて、吐水口１３からの吐水が停止される。このようなセンサ３２を備えることにより、センサ３２により検知対象物が検知された間のみ吐水させることができるため、節水を図ることができる。
【００２７】
吐水ヘッド１２は、図３に示すようにヘッドホルダ２０に保持された状態から、図４に示すように給水ホース２１とともにヘッドホルダ２０から引出可能とされている。給水ホース２１は、例えばゴム製のホースの外側を金属製の蛇腹状カバーで覆った構造を有する。
【００２８】
吐水ヘッド１２は、吐水口１３と、給水ホース２１からの水を吐水口１３に導くための導水部材（図示せず）と、吐水口１３からの吐水をストレート吐水からシャワー吐水に又はその逆に切換操作する切換操作部３４と、吐水口１３、切換操作部３４および導水部材を保持する吐水口本体部３３と、吐水口本体部３３を外側から覆うヘッドカバー３５とを備える。
【００２９】
吐水口本体部３３は、引き出し方向Ｄの奥側（すなわち吐水口１３と反対側）にホースガイド部３０ｂと嵌合するよう形成された凹部（図示せず）を有する。吐水ヘッド１２がヘッドホルダ２０に装着されるとき、この凹部がホースガイド部３０ｂと嵌合することで、吐水ヘッド１２がヘッドホルダ２０に保持される。
【００３０】
吐水ヘッド１２がヘッドホルダ２０に保持された状態において、吐水ヘッドガイド部３０ｃの吐水ヘッド１２と対向する面（以下、ガイド面３０ｆと呼ぶ）は、略平面状に形成されている。また、吐水口本体部３３のガイド面３０ｆと対向する面（以下、被ガイド面３３ａと呼ぶ）も略平面状に形成されている。引き出された吐水ヘッド１２をヘッドホルダ２０に装着する際には、吐水ヘッド１２の被ガイド面３３ａをヘッドホルダ２０のガイド面３０ｆに当接させてスライドさせることにより、吐水ヘッド１２が装着に適した姿勢に誘導される。これにより、吐水ヘッド１２のヘッドホルダ２０への装着する作業が容易となる。
【００３１】
ヘッドカバー３５は、引き出し方向Ｄに延在する略半筒状体である。ヘッドカバー３５の引き出し方向Ｄに垂直な断面形状は、楕円弧状とされている。吐水ヘッド１２がヘッドホルダ２０に装着されると、ヘッドホルダ２０のヘッドホルダカバー３１と吐水ヘッド１２のヘッドカバー３５は断面楕円状の略筒状体となる。ヘッドカバー３５は、樹脂製又は金属製であってよい。ヘッドカバー３５の表面には、意匠性を高める等の目的でメッキが施されている。
【００３２】
図５は、吐水ヘッド１２およびヘッドホルダ２０を引き出し方向から見た図である。図５に示すように、本実施形態に係る水栓装置１０において、吐水ヘッドガイド部３０ｃのガイド面３０ｆは、ヘッドホルダカバー３１の引き出し方向に沿った縁部３１ａよりも吐水ヘッド１２側に位置している。これにより、吐水ヘッドガイド部３０ｃの引き出し方向に沿った縁部３０ｇは、ヘッドホルダカバー３１の縁部３１ａよりも吐水ヘッド１２側に突出している。また、吐水ヘッドガイド部３０ｃの縁部３０ｇは、ヘッドホルダカバー３１の縁部３１ａの端面３１ｂを覆うように張り出している。
【００３３】
図６は、本実施形態に係る水栓装置１０の効果を説明するための図である。図６は、吐水ヘッド１２がヘッドホルダ２０から引き出された状態を示す。上述したように、水栓装置１０においては、吐水ヘッドガイド部３０ｃの縁部３０ｇがヘッドホルダカバー３１の縁部３１ａよりも吐水ヘッド１２側に突出している。この突出した吐水ヘッドガイド部３０ｃの縁部３０ｇの存在により、吐水ヘッド１２が吐水ヘッドガイド部３０ｃ側に動かされた場合でも、ヘッドホルダカバー３１の縁部３１ａよりも先に吐水ヘッドガイド部３０ｃの縁部３０ｇが給水ホース２１に当たるため、給水ホース２１がヘッドホルダカバー３１の縁部３１ａに接触し難い。さらに、水栓装置１０においては、吐水ヘッドガイド部３０ｃの縁部３０ｇがヘッドホルダカバー３１の縁部３１ａの端面３１ｂを覆うように張り出している。これにより、給水ホース２１がヘッドホルダカバー３１の縁部３１ａにさらに接触し難い。このように、本実施形態に係る水栓装置１０によれば、給水ホース２１がヘッドホルダカバー３１の縁部３１ａに接触し難いため、給水ホース２１の接触によるヘッドホルダカバー３１の損傷を防止できる。
【００３４】
図６に示すように、本実施形態に係る水栓装置１０では、吐水ヘッドガイド部３０ｃの縁部３０ｇは、引き出し方向Ｄに沿って連続的に、ヘッドホルダカバー３１の縁部３１ａよりも吐水ヘッド１２側に突出している。この場合、ヘッドホルダカバー３１の縁部３１ａを確実に保護できるため好ましい。しかしながら、ヘッドホルダカバー３１の縁部３１ａは引き出し方向Ｄに沿って間欠的にヘッドホルダカバー３１の縁部３１ａよりも突出していてもよい。すなわち、吐水ヘッドガイド部３０ｃの縁部３０ｇは必ずしも連続的に突出している必要はなく、所々に突出していない箇所があってもよい。この場合、突出していない箇所の長さは、突出していない箇所に給水ホース２１が当たったときに給水ホース２１がヘッドホルダカバー３１の縁部３１ａに接触しない程度の長さとすることが好ましい。
【００３５】
本実施形態に係る水栓装置１０では、吐水ヘッドガイド部３０ｃの縁部３０ｇは、ヘッドホルダカバー３１の縁部３１ａよりも吐水ヘッド１２側に突出し、且つ縁部３１ａの端面３１ｂを覆うように張り出している。従って、吐水ヘッドガイド部３０ｃの縁部３０ｇは、ヘッドホルダカバー３１により覆われておらず、外部から視認されやすい。そこで、本実施形態に係る水栓装置１０では、図５および図６に示すように、ヘッドカバー３５の引き出し方向Ｄに沿った縁部３５ａが吐水口本体部３３の被ガイド面３３ａよりも突出している。この突出したヘッドカバー３５の縁部３５ａにより、吐水ヘッド１２がヘッドホルダ２０に装着されたときに、吐水ヘッドガイド部３０ｃの縁部３０ｇを吐水ヘッド１２のヘッドカバー３５で覆い隠すことができる。外部から吐水ヘッドガイド部３０ｃの縁部３０ｇを視認し難くなり、また、ヘッドホルダカバー３１とヘッドカバー３５との切れ目が目立たなくなるため、水栓装置１０の意匠性を高めることができる。
【００３６】
図７は、本発明の別の実施形態に係る水栓装置７０の吐水ヘッド１２およびヘッドホルダ２０を示す図である。図８は、ヘッドホルダ２０から吐水ヘッド１２を引き出した状態を示す図である。図９は、吐水ヘッド１２およびヘッドホルダ２０を引き出し方向から見た図である。図３乃至図６で説明した水栓装置１０と同様の構成については説明を省略する。
【００３７】
本実施形態に係る水栓装置７０は、吐水ヘッドガイド部３０ｃの縁部３０ｇの形状が上述の水栓装置１０と異なる。本実施形態では、吐水ヘッドガイド部３０ｃの両側に形成された縁部３０ｇのみがヘッドホルダカバー３１の縁部３１ａよりも吐水ヘッド１２側に突出している。縁部３０ｇ以外のガイド面３０ｆは、ヘッドホルダカバー３１の縁部３１ａとほぼ同じ高さとなっている。図８に示すように、吐水ヘッドガイド部３０ｃの縁部３０ｇは、引き出し方向Ｄに沿って連続的に、ヘッドホルダカバー３１の縁部３１ａよりも吐水ヘッド１２側に突出しているが、この突出は間欠的であってもよい。
【００３８】
また、本実施形態に係る水栓装置７０では、吐水ヘッド１２側に突出した吐水ヘッドガイド部３０ｃの縁部３０ｇに対応して、吐水口本体部３３の被ガイド面３３ａに溝部３３ｂが形成されている。
【００３９】
本実施形態に係る水栓装置７０においても、突出した吐水ヘッドガイド部３０ｃの縁部３０ｇの存在により、吐水ヘッド１２が吐水ヘッドガイド部３０ｃ側に動かされた場合でも、ヘッドホルダカバー３１の縁部３１ａよりも先に吐水ヘッドガイド部３０ｃの縁部３０ｇが給水ホース２１に当たる。これにより、給水ホース２１がヘッドホルダカバー３１の縁部３１ａに接触し難く、給水ホース２１の接触によるヘッドホルダカバー３１の損傷を防止できる。
【００４０】
また、本実施形態では、突出した吐水ヘッドガイド部３０ｃの縁部３０ｇと吐水口本体部３３の被ガイド面３３ａの溝部３３ｂとを係合させることにより、ヘッドホルダ２０に対する吐水ヘッド１２の姿勢が一意に定まるため、吐水ヘッド１２をヘッドホルダ２０に装着するのが容易となる。
【００４１】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４２】
以上の記載から、下記の発明が認識される。
本発明のある態様の水栓装置は、給水ホースに接続された吐水ヘッドと、吐水ヘッドを所定方向に引き出し可能に保持するヘッドホルダとを備える。ヘッドホルダは、所定方向に延在する吐水ヘッドガイド部と、吐水ヘッドガイド部を覆うように所定方向に延在するヘッドホルダカバーとを備える。吐水ヘッドガイド部の縁部は、ヘッドホルダカバーの縁部よりも吐水ヘッド側に突出している。この態様によると、突出した吐水ヘッドガイド部の縁部の存在により、吐水ヘッドが吐水ヘッドガイド部側に動かされた場合でも、ヘッドホルダカバーの縁部よりも先に吐水ヘッドガイド部の縁部が給水ホースに当たる。これにより、給水ホースがヘッドホルダカバーの縁部に接触し難く、給水ホースの接触によるヘッドホルダカバーの損傷を防止できる。
【００４３】
吐水ヘッドガイド部の縁部は、所定方向に沿って連続的にヘッドホルダカバーの縁部よりも突出していてもよい。
【００４４】
吐水ヘッドガイド部の縁部は、ヘッドホルダカバーの縁部の端面を覆うように形成されていてもよい。
【符号の説明】
【００４５】
１０、７０  水栓装置、  １２  吐水ヘッド、  １３  吐水口、  ２０  ヘッドホルダ、  ２１  給水ホース、  ３０  ヘッドホルダ本体、  ３０ａ  センサ保持部、  ３０ｂ  ホースガイド部、  ３０ｃ  吐水ヘッドガイド部、  ３０ｄ  ベース部、  ３０ｅ  開口部、  ３０ｆ  ガイド面、  ３０ｇ  縁部、  ３１  ヘッドホルダカバー、  ３１ａ  縁部、  ３１ｂ  端面、  ３２  センサ、  ３３  吐水口本体部、  ３４  切換操作部、  ３５  ヘッドカバー、  ３５ａ  縁部、  １００  洗面化粧台、  １０１  洗面台、  １０２  洗面ボウル、  １０３  カウンター、  １０４  ミラーキャビネット、  １０５  ベースキャビネット、  １０６  バックガード。
【図１】
0006779010.tif 000002
【図２】
0006779010.tif 000003
【図３】
0006779010.tif 000004
【図４】
0006779010.tif 000005
【図５】
0006779010.tif 000006
【図６】
0006779010.tif 000007
【図７】
0006779010.tif 000008
【図８】
0006779010.tif 000009
【図９】
0006779010.tif 000010